(57)【特許請求の範囲】
【請求項１】
給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが単独燃焼しているときの空気過剰率を、同時燃焼しているときの空気過剰率よりも低く設定した給湯暖房装置。
【請求項２】
給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが同時燃焼しているとき、一方のバーナの燃焼量を固定するとともに、同一方のバーナ側のファンの回転数を他方のバーナのファンの回転数変化に同期して変化させることで、空気過剰率を一定に保つようにした給湯暖房装置。
【請求項３】
給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが同時燃焼しているとき、一方のバーナの燃焼量を複数段階に固定するとともに、同一方のバーナ側のファンの回転数を他方のバーナのファンの回転数変化に同期して変化させることで、空気過剰率を一定に保つようにした給湯暖房装置。
【請求項４】
給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが同時燃焼しているとき、一方のバーナの燃焼量の変化による同側のファンの回転数変化に同期して一方のバーナ側のファンの回転数を変化させることで、空気過剰率を一定に保つようにした給湯暖房装置。
【発明の詳細な説明】
【０００１】
【発明の属する技術分野】
本発明は、給湯用と暖房用のバーナを有し、排気ガスを機器内で集合させ外部に排出させる排気筒を有した給湯暖房装置に関するものである。
【０００２】
【従来の技術】
従来のこの種の給湯暖房装置は図６に示すように、給湯側は給湯用元電磁弁４から給湯用ガス比例弁５を通り燃料ガスが給湯用バーナ３に供給される。燃焼に必要な空気は給気部２２から給湯用ファン２により給湯用バーナ３へ供給される。
【０００３】
給湯用バーナ３は給湯用点火装置８により点火される。給水は水量センサー６を経由し、給湯用熱交換器１で加熱し給湯される。出湯温度はあらかじめリモコン２４で設定され、給湯用出湯サーミスタ７で検出した温度を制御装置２３で演算し、給湯用ガス比例弁５、給湯用ファン２を制御して設定温度の湯を供給する。
【０００４】
給湯用バーナ３で発生した燃焼排気ガスは給湯用排気筒９、排気連結部２０、排気集合筒２１を通り外部に排出される。暖房側は暖房用元電磁弁１３から暖房用ガス比例弁１４を通り燃料ガスが暖房用バーナ１２に供給される。燃焼に必要な空気は給気部２２から暖房用ファン１１により暖房用バーナ１２へ供給される。
【０００５】
暖房用バーナ１２は暖房用点火装置１８により点火される。給水は給水弁２８を開くことにより暖房タンク２７に補給され循環ポンプ１５により流水検出装置１６を経由し、暖房用熱交換器１０で加熱される。加熱温度はあらかじめリモコン２４で設定され、暖房用出湯サーミスタ１７で検出した温度を制御装置２３で演算し、暖房用ガス比例弁１４、暖房用ファン１１を制御して設定温度の湯を暖房水往き戻り管２５を経由し端末機（放熱機）２６に供給する。暖房用バーナ１２で発生した燃焼排気ガスは暖房用排気筒１９、排気連結部２０、排気集合筒２１を通り外部に排出される。給湯用バーナ3と暖房用バーナ１２で発生した燃焼排気ガスは排気連結部２０で混合され、排気集合筒２１がら外部に排出される。
【０００６】
図７は給湯側と暖房側の単独燃焼時と、同時燃焼時の燃焼量と空気過剰率・ファン回転数の関係を示す。単独燃焼時と同時燃焼時は給湯側、暖房側とも設定回転数Ｈ−Ｆ1が同じである為、空気過剰率はＨ−Ｍ1からＨ−Ｍ2に変化する。
【０００７】
【発明が解決しようとする課題】
しかしながら上記従来の給湯暖房装置では、給湯側と暖房側の排気部が排気連結部により１箇所に集められ、各々が単独で燃焼する場合と同時に燃焼する場合とで、排気抵抗が変化し各々のバーナの空気過剰率が低下するという現象が発生する。この為、同時燃焼させた場合に燃焼不良にならないよう、単独燃焼時に空気過剰ぎみになる様に設定されていた。この場合、単独燃焼時は適正な燃焼状態から外れてしまう為、空気過剰によるＣＯの発生や、燃焼状態が不安定になり燃焼異常音やバーナが消火するという現象が発生しやすくなり、また熱効率が低下するという課題を有していた。
【０００８】
また特に暖房側は、給湯側に比べて燃焼量が少ない為、燃焼量の大きい給湯側に影響されやすいという課題を有していた。
【０００９】
【課題を解決するための手段】
本発明は上記課題を解決するため、給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが単独燃焼しているときの空気過剰率を、同時燃焼しているときの空気過剰率よりも低く設定したものである。
【００１０】
【発明の実施の形態】
本発明の給湯暖房装置は、給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが単独燃焼しているときの空気過剰率を、同時燃焼しているときの空気過剰率よりも低く設定した。
【００１１】
また、給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが同時燃焼しているとき、一方のバーナの燃焼量を固定するとともに、同一方のバーナ側のファンの回転数を他方のバーナのファンの回転数変化に同期して変化させることで、空気過剰率を一定に保つようにした。
【００１２】
また、給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが同時燃焼しているとき、一方のバーナの燃焼量を複数段階に固定するとともに、同一方のバーナ側のファンの回転数を他方のバーナのファンの回転数変化に同期して変化させることで、空気過剰率を一定に保つようにした。
【００１３】
さらに、給湯用バーナで発生した燃焼排気ガスを排出する給湯用ファンと、暖房用バーナで発生した燃焼排気ガスを排出する暖房用ファンと、それら両ファンから送出された燃焼排気ガスを外部に排出する排気集合筒とを備え、給湯用バーナおよび暖房用バーナが同時燃焼しているとき、一方のバーナの燃焼量の変化による同側のファンの回転数変化に同期して一方のバーナ側のファンの回転数を変化させることで、空気過剰率を一定に保つようにした。
【００１４】
【実施例】
以下、本発明の実施例について図面を用いて説明する。
【００１５】
（実施例１）
図１（ａ）、（ｂ）は本発明の実施例１の給湯暖房装置の単独燃焼時と同時燃焼時の燃焼量と空気過剰率・ファン回転数の関係を示す。なお、給湯暖房装置の構成図については従来技術と同一であり、また同一符号のものは同一構造を有し、説明は省略する。
【００１６】
図においてＨ−Ｆ１は単独燃焼時の暖房用ファン１１の設定を表し、Ｈ−Ｍ1は単独燃焼時の空気過剰率を表す。Ｈ−Ｍ２は暖房用ファン１１の設定がＨ−Ｆ1のまま変化しなかった場合の空気過剰率を示し、Ｈ−Ｆ２は同時燃焼時の暖房用ファン１１の設定を表す。給湯側は単独燃焼時と同時燃焼時の空気過剰率の差が小さいことを示す。
【００１７】
次に動作、作用について説明すると、同時燃焼時低下する空気過剰率Ｈ−Ｍ２を暖房用ファン１１の回転数の設定をＨ−Ｆ２にすることにより、空気過剰率がＨ−Ｍ１まで回復し、給湯側が燃焼したことにより発生する暖房側の空気過剰率の低下を防止することができる。
【００１８】
（実施例２）
図２は本発明の実施例２の給湯暖房装置の単独燃焼時と同時燃焼時の燃焼量と空気過剰率・ファン回転数の関係を示す。
【００１９】
本実施例２において、実施例１と異なる点は同時燃焼時に暖房の燃焼量を任意の一点Ｑ１に固定し、暖房用ファン１１を、給湯用ファン２が最大の時は暖房用ファンをＨ−Ｆ３ａにし最小の時はＨ−Ｆ３ｂにし、給湯用ファン２の状態に合わせてと同期させる点である。
【００２０】
なお、実施例１と同一符号のものは同一構造を有し、説明は省略する。
【００２１】
次に動作、作用について説明すると、暖房単独燃焼から給湯との同時燃焼に移行した場合に、暖房の燃焼量Ｑ１を固定し給湯の燃焼量の変化に機敏に反応し、暖房用ファン１１を可変させることにより、暖房の空気過剰率Ｈ−Ｍ３を一定に保つことができる。
【００２２】
（実施例３）
図３は本発明の実施例３の給湯暖房装置の単独燃焼時と同時燃焼時の燃焼量と空気過剰率・ファン回転数の関係を示す。
【００２３】
本実施例３において、実施例１と異なる点は同時燃焼時に暖房の燃焼量を最小のＱ２に固定し、暖房用ファン１１を、給湯用ファン２が最大の時は暖房用ファンをＨ−Ｆ４ａにし最小の時はＨ−Ｆ４ｂにし、給湯用ファン２の状態に合わせて同期させる点である。なお、実施例１と同一符号のものは同一構造を有し、説明は省略する。
【００２４】
次に動作、作用について説明すると、暖房単独燃焼から給湯との同時燃焼に移行した場合に、暖房の燃焼量Ｑ２を最小に固定し給湯の燃焼量の変化に機敏に反応し、暖房用ファン１１を可変させることにより、暖房の空気過剰率Ｈ−Ｍ４を一定に保つことができる。また、暖房側の燃焼量を最小にすることにより、給湯側の燃焼への影響が無くなり給湯側の空気過剰率はＷ−Ｍ１から変化せず、単独燃焼時と同じ燃焼状態を保つことができる。
【００２５】
（実施例４）
図４は本発明の実施例４の給湯暖房装置の単独燃焼時と同時燃焼時の燃焼量と空気過剰率・ファン回転数の関係を示す。
【００２６】
本実施例４において、実施例１と異なる点は同時燃焼時に暖房の燃焼量を複数段階に固定し、暖房用ファン１１を、給湯用ファン２が最大の時は暖房用ファンをＨ−Ｆ５ａ，Ｆ６ａ，Ｆ７ａ，Ｆ８ａにし最小の時はＨ−Ｆ５ｂ，Ｆ６ｂ，Ｆ７ｂ，Ｆ８ｂにし、給湯用ファン２の状態に合わせて同期させる点である。なお、実施例１と同一符号のものは同一構造を有し、説明は省略する。
【００２７】
次に動作、作用について説明すると、暖房単独燃焼から給湯との同時燃焼に移行した場合に、暖房の燃焼量をＱ２〜Ｑ４と複数段階に固定し給湯の燃焼量の変化に機敏に反応し、暖房用ファン１１を可変させることにより、暖房の空気過剰率Ｈ−Ｍ５，Ｍ６，Ｆ７，Ｆ８を単独燃焼時と同一の空気過剰に保つことができる。
【００２８】
（実施例５）
図５は本発明の実施例５の給湯暖房装置の単独燃焼時と同時燃焼時の燃焼量と空気過剰率・ファン回転数の関係を示す。
【００２９】
本実施例５において、実施例１と異なる点は同時燃焼時に暖房用ファン１１を、給湯用ファン２が最大の時は暖房用ファンの設定をＨ−Ｆ９ａのラインにし、最小の時はＨ−Ｆ９ｂのラインにし、給湯用ファン２と同期させる点である。なお、実施例１と同一符号のものは同一構造を有し、説明は省略する。
【００３０】
次に動作、作用について説明すると、暖房単独燃焼から給湯との同時燃焼に移行した場合に、給湯の燃焼量の変化に機敏に反応し、暖房用ファン１１を給湯用ファン２の状態に合わせて同期させて可変させることにより、暖房側は単独燃焼時と同一の空気過剰率側Ｈ−Ｍ１を保つことができる。
【００３１】
【発明の効果】
以上の説明したように本発明の給湯暖房装置は、給湯側と暖房側が同時燃焼する場合と単独燃焼する場合とで空気過剰率を一定となるようにしているので、いずれも燃焼状態でも安定した燃焼をさせることができ、加えて、燃焼異常音の発生、バーナの消火の発生を防止でき、熱効率低下も防止できるという効果がある。
【図面の簡単な説明】
【図１】  （ａ）本発明の実施例１における給湯暖房装置の暖房側における燃焼量と空気過剰率・ファン回転数の関係図
（ｂ）同装置の給湯側における燃焼量と空気過剰率・ファン回転数の関係図
【図２】  本発明の実施例２における給湯暖房装置の単独燃焼時と同時燃焼時の燃焼量と空気過剰率・ファン回転数の関係図
【図３】  本発明の実施例３における給湯暖房装置の単独燃焼時と同時燃焼時の燃焼量と空気過剰率・ファン回転数の関係図
【図４】  本発明の実施例４における給湯暖房装置の単独燃焼時と同時燃焼時の燃焼量と空気過剰率・ファン回転数の関係図
【図５】  本発明の実施例５における給湯暖房装置の単独燃焼時と同時燃焼時の燃焼量と
空気過剰率・ファン回転数の関係図
【図６】  従来の給湯暖房装置の系統図
【図７】  （ａ）同装置の暖房側における燃焼量と空気過剰率・ファン回転数の関係図
（ｂ）同装置の給湯側における燃焼量と空気過剰率・ファン回転数の関係図
【符号の説明】
２  給湯用ファン
３  給湯用バーナ
９  給湯用排気筒
１１  暖房用ファン
１２  暖房用バーナ
１４  暖房用ガス比例弁
１９  暖房用排気筒
２０  排気連結部
２１  排気集合筒
２３  制御装置
【図１】
0003838085.tif 000002
【図２】
0003838085.tif 000003
【図３】
0003838085.tif 000004
【図４】
0003838085.tif 000005
【図５】
0003838085.tif 000006
【図６】
0003838085.tif 000007
【図７】
0003838085.tif 000008